(57)【要約】【課題】  単一種類の収納ラック要素を組み合わせて雑誌などのずり落ちを防止する収納ラックを組み立てる。【解決手段】収納ラック要素１は、楔状鋭角部を有する直角三角形状の一対の底面２と、底面２の楔状鋭角部の頂点に対する対辺ｘ間に連設された側面３と、底面２の楔状鋭角部の頂点に対する隣辺ｙ間に連設された側面４と、底面２の直交する頂点に対する斜辺ｚ間に連設された側面５と、から略三角柱状に形成され、前記斜辺ｚ間に連設された側面５において、直交する頂点および楔状鋭角部の頂点を除く頂点間を結ぶ側辺に沿って、斜辺ｚ間に連設された側面５と隣辺ｙ間に連設された側面４からなる楔状先端部に対応する係合穴５１が形成されたものである。そして、この収納ラック要素を２個用意し、一方の収納ラック要素１Ａの係合穴５１に、他方の収納ラック要素１Ｂの楔状先端部を挿入して収納ラック１０を形成する。【選択図】  図３
2006325864.tif 000002
【特許請求の範囲】
【請求項１】
楔状鋭角部を有する直角三角形状の一対の底面と、底面の楔状鋭角部の頂点に対する対辺間に連設された側面と、底面の楔状鋭角部の頂点に対する隣辺間に連設された側面と、底面の直交する頂点に対する斜辺間に連設された側面と、から略三角柱状に形成され、前記斜辺間に連設された側面において、直交する頂点および楔状鋭角部の頂点を除く頂点間を結ぶ側辺に沿って、斜辺間に連設された側面と隣辺間に連設された側面からなる楔状先端部に対応する係合穴が形成されていることを特徴とする収納ラック要素。
【請求項２】
請求項１記載の一方の収納ラック要素の係合穴に、他方の収納ラック要素の楔状先端部を挿入し、一方の収納ラック要素における対辺間に連設された側面および他方の収納ラック要素における隣辺間に連設された側面を設置面に配置したことを特徴とする収納ラック。
【請求項３】
請求項２記載の一方の収納ラックを形成する一方の収納ラック要素における隣辺間に連設された側面と、他方の収納ラックを形成する一方の収納ラック要素における隣辺間に連設された側面とを背中合わせに配置したことを特徴とする収納ラック。
【請求項４】
請求項２記載の一方の収納ラックを形成する一方の収納ラック要素の楔状先端部および他方の収納ラックを形成する一方の収納ラック要素の楔状先端部を、他方の収納ラックを形成する他方の収納ラック要素の係合穴および一方の収納ラックを形成する他方の収納ラック要素の係合穴にそれぞれ挿入して方形枠を形成したことを特徴とする収納ラック。
【発明の詳細な説明】
【技術分野】
【０００１】
この発明は、収納ラック要素および複数個の収納ラック要素から組み立てられた収納ラックに関するものである。
【背景技術】
【０００２】
一般に、支柱、ボード、棚板、連結部品などを標準化し、これらの構成要素を任意に組み合わせて任意の大きさ、形状の収納ラックを形成し、必要に応じて構成要素を追加して収納ラックの大きさや形状を拡張できるようにしたシステムラックが市販されている。
【発明の開示】
【発明が解決しようとする課題】
【０００３】
しかしながら、前述したシステムラックは、構成部品の数が多く、コストがかさむという欠点がある。また、通常、雑誌などを配置する面は、床面に対して平行な水平面であり、壁面となる垂直面に立てかけて収納するようになっていることから、雑誌などは簡単にずり落ちて倒れるものである。このため、雑誌などに腰折れの癖がつき、取り出しにくいという欠点がある。したがって、別途ブックエンドなどによって雑誌などの倒れ込みを防止する必要があった。
【０００４】
本発明は、このような問題点に鑑みてなされたもので、収納ラックを形成することのできる単一種類の収納ラック要素を提供するとともに、複数個の収納ラック要素から組み立てられ、雑誌などのずり落ちを防止することのできる収納ラックを提供するものである。
【課題を解決するための手段】
【０００５】
本発明の収納ラック要素は、楔状鋭角部を有する直角三角形状の一対の底面と、底面の楔状鋭角部の頂点に対する対辺間に連設された側面と、底面の楔状鋭角部の頂点に対する隣辺間に連設された側面と、底面の直交する頂点に対する斜辺間に連設された側面と、から略三角柱状に形成され、前記斜辺間に連設された側面において、直交する頂点および楔状鋭角部の頂点を除く頂点間を結ぶ側辺に沿って、斜辺間に連設された側面と隣辺間に連設された側面からなる楔状先端部に対応する係合穴が形成されていることを特徴とするものである。
【０００６】
本発明によれば、一の収納ラック要素の楔状先端部と、他の収納ラック要素の係合穴とを利用することにより、収納ラックを形成することが可能となる。この場合、構成部品は、単一種類の収納ラック要素のみであるため、部品点数が可及的に削減され、コストを低減することができる。
【０００７】
本発明の収納ラックは、請求項１記載の一方の収納ラック要素の係合穴に、他方の収納ラック要素の楔状先端部を挿入し、一方の収納ラック要素における対辺間に連設された側面および他方の収納ラック要素における隣辺間に連設された側面を設置面に配置したことを特徴とするものである。
【０００８】
本発明によれば、一方の収納ラック要素の係合穴に、他方の収納ラック要素の楔状先端部を挿入して、棚などの設置面に配置すればよい。
【０００９】
したがって、一方の収納ラック要素の斜辺を含む側面と、他方の収納ラック要素の斜辺を含む側面とが、直交するとともに、反時計回り方向に楔状鋭角部に相当する角度だけ傾斜することから、他方の収納ラック要素の斜辺を含む側面に配置された雑誌などは、一方の収納ラック要素の斜辺を含む側面に傾斜状態で立てかけられることになり、倒れることなく支持することができ、これまでのように、ブックエンドなどの雑誌などを支持する器具が不要となる。
【００１０】
本発明の収納ラックは、請求項２記載の一方の収納ラックを形成する一方の収納ラック要素における隣辺間に連設された側面と、他方の収納ラックを形成する一方の収納ラック要素における隣辺間に連設された側面とを背中合わせに配置したことを特徴とするものである。
【００１１】
本発明によれば、一方の収納ラック要素の係合穴に、他方の収納ラック要素の楔状先端部を挿入して収納ラックを２個形成し、一方の収納ラックにおける一方の収納ラック要素の隣辺を含む側面および他方の収納ラックにおける一方の収納ラック要素の隣辺を含む側面を背中合わせにして、棚などの設置面に配置すればよい。
【００１２】
したがって、一方の収納ラックによる収納空間および他方の収納ラックによる収納空間にそれぞれ雑誌などを配置することができる。しかも、ブックエンドなどを用いることなく倒れを防止して雑誌などを支持することができるとともに、互いに収納ラックを背中合わせに支持していることから、それらの転倒を防止することができる。
【００１３】
本発明の収納ラックは、請求項２記載の一方の収納ラックを形成する一方の収納ラック要素の楔状先端部および他方の収納ラックを形成する一方の収納ラック要素の楔状先端部を、他方の収納ラックを形成する他方の収納ラック要素の係合穴および一方の収納ラックを形成する他方の収納ラック要素の係合穴にそれぞれ挿入して方形枠を形成したことを特徴とするものである。
【００１４】
本発明によれば、一方の収納ラック要素の係合穴に、他方の収納ラック要素の楔状先端部を挿入して収納ラックを２個形成し、一方の収納ラックにおける一方の収納ラック要素の楔状先端部および他方の収納ラックにおける一方の収納ラック要素の楔状先端部を、他方の収納ラックにおける他方の収納ラック要素の係合穴および一方の収納ラックにおける他方の収納ラック要素の係合穴にそれぞれ挿入して方形枠を形成し、任意の収納ラック要素を棚などの設置面に配置すればよい。
【００１５】
したがって、一方の収納ラックにおける他方の収納ラック要素の斜辺を含む側面と一方の収納ラック要素の斜辺を含む側面によって形成される空間に、ブックエンドなどを用いることなく倒れを防止して雑誌などを配置することができる。
【００１６】
しかも、一の収納ラック要素の楔状先端部および係合穴は、隣接する収納ラック要素の係合穴に挿入されるとともに、他の隣接する収納ラック要素の楔状先端部が挿入されて、互いに連結されて方形枠状に組み立てられていることから、簡単に離脱することがなく強固に組み立てることができる。このため、収納ラックを上下方向に積み重ねることもできる。
【発明の効果】
【００１７】
本発明によれば、単一種類の収納ラック要素を組み合わせて、雑誌などのずり落ちを防止する収納ラックを組み立てることができる。
【発明を実施するための最良の形態】
【００１８】
以下、本発明の実施の形態を図面に基づいて説明する。
【００１９】
図１には、本発明の収納ラック要素１の一実施形態が示されている。
【００２０】
この収納ラック要素１は、楔状鋭角部を有する直角三角形状の底面２，２と、底面２，２の楔状鋭角部の頂点ａに対する対辺ｘ，ｘ間に連設された側面３（以下、対辺ｘを含む側面３という。）と、底面２，２の楔状鋭角部の頂点ａに対する隣辺ｙ，ｙ間に連設された側面４（以下、隣辺ｙを含む側面４という。）と、底面２，２の直交する頂点ｂに対する斜辺ｚ，ｚ間に連設された側面５（以下、斜辺ｚを含む側面５という。）と、から略三角柱状に形成され、底面２，２の楔状鋭角部の頂点ａ，ａ間を結ぶ側辺ｕの長さが、底面２，２の直交する頂点ｂ，ｂ間を結ぶ側辺ｖの長さや、底面２，２の楔状鋭角部の頂点ａおよび直交する頂点ｂを除く頂点ｃ，ｃ間を結ぶ側辺ｗの長さよりもわずかに短小に設定されている。
【００２１】
そして、斜辺ｚを含む側面５には、底面２，２の楔状鋭角部の頂点ａおよび直交する頂点ｂを除く頂点ｃ，ｃ間を結ぶ側辺ｗに沿って、斜辺ｚを含む側面５および隣辺ｙを含む側面４によって形成される楔状先端部を挿入可能な係合穴５１が形成されている。
【００２２】
この収納ラック要素１は、ダンボールやコートボールなどの紙の他、プラスチックや金属板によって形成することができる。
【００２３】
次に、このように構成された収納ラック要素１を用いて収納ラック１０を組み立てる場合について説明する。
【００２４】
まず、２個の収納ラック要素１Ａ，１Ｂを用意し、一方の収納ラック要素１Ａの係合穴５１に、他方の収納ラック要素１Ｂの楔状先端部を、その斜辺ｚを含む側面５を上方に向けて挿入した後、一方の収納ラック要素１Ａの対辺ｘを含む側面３および他方の収納ラック要素１Ｂの隣辺ｙを含む側面４を棚などの設置面に配置すればよい（図２および図３参照）。
【００２５】
この場合、一方の収納ラック要素１Ａの斜辺ｚを含む側面５が設置面に対して反時計回り方向に直角と楔状鋭角部に相当する角度との和に相当する角度傾斜する一方、他方の収納ラック要素１Ｂの斜辺ｚを含む側面５が設置面に対して反時計回り方向に楔状鋭角部に相当する角度だけ傾斜するとともに、前述した一方の収納ラック要素１Ａにおける斜辺ｚを含む側面５と直交することから、図２に示すように、他方の収納ラック要素１Ｂの斜辺ｚを含む側面５に配置された雑誌などは、一方の収納ラック要素１Ａの斜辺ｚを含む側面５に傾斜状態で立てかけられることになり、倒れることなく支持することができ、これまでのように、ブックエンドなどの雑誌などを支持する器具が不要となる。
【００２６】
ここで、詳細には図示しないが、係合穴５１の内面に複数個の係止爪を内方に突出して形成するとともに、楔状先端部を形成する斜辺ｚを含む側面５および隣辺ｙを含む側面４の側辺ｕの近傍に、各係止爪と嵌合可能な複数個の係止凹部を形成することもできる。このように、係止爪と係止凹部を形成すると、一方の収納ラック要素１Ａの係合穴５１に他方の収納ラック要素１Ｂの楔状先端部を挿入する際、それらの係止爪と係止凹部を係合させることにより、一方の収納ラック要素１Ａと他方の収納ラック要素１Ｂとの離脱を確実に防止することができるため、好ましい。
【００２７】
なお、収納ラック１０に収納するものとしては、雑誌に限らず、図書、ＣＤ，ＤＶＤなど任意に選択できる。
【００２８】
ところで、図４および図５には、前述した収納ラック１０を２組利用して組み立てられた収納ラック１１が示されている。
【００２９】
すなわち、この収納ラック１１は、一方の収納ラック要素１Ａの係合穴５１に、他方の収納ラック要素１Ｂの楔状先端部を、その斜辺ｚを含む側面５を上方に向けて挿入して収納ラック１０を形成するとともに、一方の収納ラック要素１Ｃの係合穴５１に、他方の収納ラック要素１Ｄの楔状先端部を、その斜辺ｚを含む側面５を上方に向けて挿入して収納ラック１０を形成した後、一方の収納ラック１０における一方の収納ラック要素１Ａの隣辺ｙを含む側面４および他方の収納ラック１０における一方の収納ラック要素１Ｃの隣辺ｙを含む側面４を背中合わせにして、一方の収納ラック１０における一方の収納ラック要素１Ａの対辺ｘを含む側面３および他方の収納ラック要素１Ｂの隣辺ｙを含む側面４とともに、他方の収納ラック１０における一方の収納ラック要素１Ｃの対辺ｘを含む側面３および他方の収納ラック要素１Ｄの隣辺ｙを含む側面４を棚などの設置面に配置したものである。
【００３０】
この収納ラック１１によれば、一方の収納ラック１０における他方の収納ラック要素１Ｂの斜辺ｚを含む側面５と一方の収納ラック要素１Ａの斜辺ｚを含む側面５によって形成される空間および他方の収納ラック１０における他方の収納ラック要素１Ｄの斜辺ｚを含む側面５と一方の収納ラック要素１Ｃの斜辺ｚを含む側面５によって形成される空間にそれぞれ雑誌などを配置することができる。この場合も、ブックエンドなどを用いることなく倒れを防止して雑誌などを支持することができるとともに、互いに収納ラック１０，１０を背中合わせに支持していることから、それらの転倒を防止することができる。
【００３１】
一方、図６および図７には、前述した収納ラック１０を２組利用して組み立てられた他の収納ラック１２が示されている。
【００３２】
この収納ラック１２は、一方の収納ラック要素１Ａの係合穴５１に、他方の収納ラック要素１Ｂの楔状先端部を、その斜辺ｚを含む側面５を上方に向けて挿入して収納ラック１０を形成するとともに、一方の収納ラック要素１Ｃの係合穴５１に、他方の収納ラック要素１Ｄの楔状先端部を、その斜辺ｚを含む側面５を上方に向けて挿入して収納ラック１０を形成した後、一方の収納ラック１０における一方の収納ラック要素１Ａの斜辺ｚを含む側面５と他方の収納ラック１０における一方の収納ラック要素１Ｃの斜辺ｚを含む側面５および一方の収納ラック１０における他方の収納ラック要素１Ｂの斜辺ｚを含む側面５と他方の収納ラック１０における他方の収納ラック要素１Ｄの斜辺ｚを含む側面５がそれぞれ対向するように配置し、一方の収納ラック１０における一方の収納ラック要素１Ａの楔状先端部および他方の収納ラック１０における一方の収納ラック要素１Ｃの楔状先端部を、他方の収納ラック１０における他方の収納ラック要素１Ｄの係合穴５１および一方の収納ラック１０における他方の収納ラック要素１Ｂの係合穴５１にそれぞれ挿入し、方形枠に形成したものである。
【００３３】
この収納ラック１２によれば、一方の収納ラック１０における他方の収納ラック要素１Ｂの斜辺ｚを含む側面５と一方の収納ラック要素１Ａの斜辺ｚを含む側面５によって形成される空間に、ブックエンドなどを用いることなく倒れを防止して雑誌などを配置することができる。
【００３４】
しかも、この収納ラック１２は、隣接する収納ラック要素において、一方の収納ラック要素の楔状先端部が他方の収納ラック要素の係合穴に挿入されるとともに、その一方の収納ラック要素の係合穴に他方の収納ラック要素の楔状先端部が挿入されて、互いに連結されて方形枠状に組み立てられていることから、簡単に離脱することがなく、図８に示すように、上下方向に積み重ねることもできる。
【図面の簡単な説明】
【００３５】
【図１】本発明の収納ラック要素の一実施形態を示す斜視図である。
【図２】図１の収納ラック要素を用いて組み立てられた収納ラックの一実施形態を示す正面図である。
【図３】図２の収納ラックの斜視図である。
【図４】図１の収納ラック要素を用いて組み立てられた収納ラックの他の実施形態を示す正面図である。
【図５】図４の収納ラックの斜視図である。
【図６】図１の収納ラック要素を用いて組み立てられた収納ラックのもう一つの実施形態を示す正面図である。
【図７】図６の収納ラックの斜視図である。
【図８】図６の収納ラックを上下に２個積み重ねた状態を示す斜視図である。
【符号の説明】
【００３６】
１，１Ａ，１Ｂ，１Ｃ，１Ｄ  収納ラック要素
２  底面
３，４，５  側面
５１  係合穴
ａ，ｂ，ｃ  頂点
ｕ，ｖ，ｗ  側辺
ｘ  対辺
ｙ  隣辺
ｚ  斜辺
１０，１１，１２  収納ラック
【図１】
2006325864.tif 000003
【図２】
2006325864.tif 000004
【図３】
2006325864.tif 000005
【図４】
2006325864.tif 000006
【図５】
2006325864.tif 000007
【図６】
2006325864.tif 000008
【図７】
2006325864.tif 000009
【図８】
2006325864.tif 000010